(57)【要約】【課題】高い演出効果をもち有機ＥＬパネルの交換が容易に実施可能な内装用建材を提供する。【解決手段】取付部材と化粧部材の間に有機ＥＬパネルが介在しており、取付部材は、固定構造物の壁面に固定されるものであり、有機ＥＬパネルは、取付部材に対して直接的に又は間接的に着脱可能であって、取付部材側から給電可能であり、化粧部材は、有機ＥＬパネルの発光面を覆うものであって、消灯時に第１模様を呈するものであり、点灯時に、化粧部材が第１模様とは異なる第２模様が発現する構成とする。【選択図】図１８
2018012077.tif 000002
【特許請求の範囲】
【請求項１】
取付部材と化粧部材の間に面発光パネルが介在した内装用建材であって、
前記取付部材は、固定構造物の壁面に固定されるものであり、
前記面発光パネルは、前記取付部材に対して直接的に又は間接的に着脱可能であって、前記取付部材側から給電可能であり、
前記化粧部材は、前記面発光パネルの発光面を覆うものであって、消灯時に第１模様を呈するものであり、
点灯時に、前記面発光パネルの発光面からの照射光の一部が前記化粧部材を透過して、前記化粧部材が前記第１模様とは異なる第２模様を発現することを特徴とする内装用建材。
【請求項２】
前記面発光パネルは、有機ＥＬパネルであり、
前記化粧部材は、前記面発光パネルの発光面と対面しており、
前記化粧部材の前記面発光パネル側の面と、前記面発光パネルの発光面との間の距離が０ｍｍ以上１０ｍｍ以下であることを特徴とする請求項１に記載の内装用建材。
【請求項３】
前記取付部材に対して前記面発光パネルを取り付けた状態において、前記取付部材と前記面発光パネルとの間に隙間が形成されていることを特徴とする請求項１又は２に記載の内装用建材。
【請求項４】
前記化粧部材に対して複数の面発光パネルが取り付けられており、
各面発光パネル間が電気的に接続されていることを特徴とする請求項１乃至３のいずれかに記載の内装用建材。
【請求項５】
前記化粧部材は、前記第１模様を形成する第１模様形成層と、前記第２模様を形成する第２模様形成層を備えた板材であり、
前記第１模様形成層は、前記第２模様形成層と透明樹脂を挟んで前記化粧部材の厚み方向に対向しており、
前記第２模様形成層は、前記第１模様形成層に対して前記面発光パネル側に位置していることを特徴とする請求項１乃至４のいずれかに記載の内装用建材。
【請求項６】
前記面発光パネルを点灯したときに、前記第１模様は、前記面発光パネルの点灯に伴う発熱によって消失することを特徴とする請求項１乃至５のいずれかに記載の内装用建材。
【請求項７】
前記取付部材は、取付側係合部を有し、
前記面発光パネルは、前記取付側係合部と係合可能なパネル側係合部を備えていることを特徴とする請求項１乃至６のいずれかに記載の内装用建材。
【請求項８】
前記化粧部材に対して前記面発光パネルが取り付けられており、
前記面発光パネルは、前記化粧部材と一体となっていることを特徴とする請求項１乃至７のいずれかに記載の内装用建材。
【請求項９】
前記化粧部材に対して複数の面発光パネルが取り付けられており、
各面発光パネルと前記化粧部材は、不可分一体となっていることを特徴とする請求項１乃至８のいずれかに記載の内装用建材。
【請求項１０】
前記化粧部材のヤング率が前記面発光パネルのヤング率よりも大きいことを特徴とする請求項１乃至９のいずれかに記載の内装用建材。
【請求項１１】
請求項１乃至１０のいずれかに記載の内装用建材を前記固定構造物の壁面に取り付ける内装用建材の取付構造であって、
前記化粧部材は、一時締結要素によって前記固定構造物の壁面に対して固定されていることを特徴とする内装用建材の取付構造。
【発明の詳細な説明】
【技術分野】
【０００１】
本発明は、面発光パネルを備えた内装用建材及びその取付構造に関する。
【背景技術】
【０００２】
近年、建物の内装を構成する内装用建材は、単なる建材の機能に加え、演出性等の付加価値が求められている。そこで、特許文献１では、光源と透光性化粧材を組み合わせて演出性を付加させている。【０００３】
具体的には、特許文献１では、樹脂が含浸されてＷＰＣ処理されることで透光性を有する木質薄単板からなる突板層と、この突板層の裏面側に配置された隠蔽層と、この隠蔽層の裏面側に配置され、所定の色柄が形成された色柄層とを含んだ積層体からなる透光性化粧材を用い、透光性化粧材の裏面側に光源を設けた発光化粧構造が提案されている。この特許文献１によると、光源により裏側から透光性化粧材に光を当てた状態と、光を当てない状態とで外観に大きな差異が生じさせ、模様の変化による演出が可能とされている。
【先行技術文献】
【特許文献】
【０００４】
【特許文献１】特開２０１２−１７９８０１号公報
【発明の概要】
【発明が解決しようとする課題】
【０００５】
ところで、建物の内装の一部として使用される内装用建材は、建物が続く限り半永久的に設置されることが多いが、光源として使用される発光パネルは、従来の発光パネルと同様、寿命がある。すなわち、内装用建材に組み込まれる発光パネルは、定期的にメンテナンス等を行う必要があり、発光パネルが劣化した場合は、使用済みの発光パネルを新品の発光パネルに交換する必要がある。
しかしながら、特許文献１に記載の発光化粧構造を用いた場合、光源が重ねられた透光性化粧材を固定構造物に嵌め込んでしまうため、一度建物に組み込むと透光性化粧材から光源を取り外すことができず、メンテナンスできないという問題がある。【０００６】
そこで、本発明は、高い演出効果をもち面発光パネルの交換が容易に実施可能な内装用建材及びその取付構造を提供することを課題とする。
【課題を解決するための手段】
【０００７】
上記した課題を解決するための本発明の一つの様相は、取付部材と化粧部材の間に面発光パネルが介在した内装用建材であって、前記取付部材は、固定構造物の壁面に固定されるものであり、前記面発光パネルは、前記取付部材に対して直接的に又は間接的に着脱可能であって、前記取付部材側から給電可能であり、前記化粧部材は、前記面発光パネルの発光面を覆うものであって、消灯時に第１模様を呈するものであり、点灯時に、前記面発光パネルの発光面からの照射光の一部が前記化粧部材を透過して、前記化粧部材が前記第１模様とは異なる第２模様を発現する内装用建材である。【０００８】
ここでいう「間接的に着脱可能」とは、他の構成部材を介して着脱可能であることをいう。【０００９】
本様相によれば、壁面に取り付ける取付部材に対して面発光パネルが直接的に又は間接的に着脱可能である。そのため、例えば、取付部材から面発光パネルを取り外すことで、固定構造物から面発光パネルを取り外すことができ、面発光パネル等に対して取り外した状態でメンテナンスを実施できる。また、面発光パネルが劣化した場合でも、取付部材から面発光パネルを着脱することで、使用済みの面発光パネルを新品の面発光パネルに交換できる。
本様相によれば、内装を構成する化粧部材は消灯時に第１模様を呈し、点灯時に第２模様を呈するので、点灯することで消灯時の見た目模様と異なる見た目模様に変化させることができ、演出効果が高く、意匠性も高い。【００１０】
好ましい様相は、前記面発光パネルは、有機ＥＬパネルであり、前記化粧部材は、前記面発光パネルの発光面と対面しており、前記化粧部材の前記面発光パネル側の面と、前記面発光パネルの発光面との間の距離が０ｍｍ以上１０ｍｍ以下であることである。【００１１】
本様相によれば、光源たる面発光パネルとして、拡散光を照射する有機ＥＬパネルを使用しているので、化粧部材を柔らかい光で照らすことができる。
本様相によれば、面発光パネルが面状の発光光源である有機ＥＬパネルであって、化粧部材を照らすので、化粧部材の面発光パネル側の面と、面発光パネルの発光面との間の距離が０ｍｍ以上１０ｍｍ以下で距離が近い場合であっても、比較的均一に面状に発光できる。また、化粧部材の面発光パネル側の面と、面発光パネルの発光面との間の距離が近くできるので、点光源を使用する場合に比べて全体の厚みを薄くできる。【００１２】
好ましい様相は、前記取付部材に対して前記面発光パネルを取り付けた状態において、前記取付部材と前記面発光パネルとの間に隙間が形成されていることである。【００１３】
本様相によれば、取り外す際の面発光パネルの動きしろを確保しやすく、取付部材から面発光パネルを取り外しやすい。【００１４】
好ましい様相は、前記化粧部材に対して複数の面発光パネルが取り付けられており、各面発光パネル間が電気的に接続されていることである。【００１５】
本様相によれば、各面発光パネルに対して給電しやすい。【００１６】
上記した様相において、各面発光パネルは電気的に直列接続されていることが好ましい。【００１７】
この様相によれば、各面発光パネルに対して定電流を供給でき、面発光パネル間で輝度むらが生じにくい。【００１８】
上記した様相において、各面発光パネルは電気的に並列接続されていることが好ましい。【００１９】
この様相によれば、取付部材から一の面発光パネルを外した状態でも他の面発光パネルを使用できる。【００２０】
好ましい様相は、前記化粧部材は、前記第１模様を形成する第１模様形成層と、前記第２模様を形成する第２模様形成層を備えた板材であり、前記第１模様形成層は、前記第２模様形成層と透明樹脂を挟んで前記化粧部材の厚み方向に対向しており、前記第２模様形成層は、前記第１模様形成層に対して前記面発光パネル側に位置していることである。【００２１】
ここでいう「透明」とは、物質を通してその先にあるものが透けて見えることをいい、無色だけではなく、有色である場合も含む。【００２２】
本様相によれば、第２模様形成層が光源たる面発光パネル側にあって、使用者側（光出射側）からみて奥側に位置しているので、消灯時に使用者側からの光が第１模様形成層や透明樹脂で反射しやすく、第２模様形成層に届きにくい。そのため、消灯時に実質的に第１模様のみを表示することが可能である。【００２３】
好ましい様相は、前記面発光パネルを点灯したときに、前記第１模様は、前記面発光パネルの点灯に伴う発熱によって消失することである。【００２４】
本様相によれば、点灯時の面発光パネルの熱によって化粧部材の第１模様が消えるので、点灯することで明確に第２模様を表示できる。【００２５】
好ましい様相は、前記取付部材は、取付側係合部を有し、前記面発光パネルは、前記取付側係合部と係合可能なパネル側係合部を備えていることである。【００２６】
本様相によれば、取付部材の取付側係合部と面発光パネルのパネル側係合部が係合及び係合解除することで、取付部材から面発光パネルを容易に着脱できる。【００２７】
好ましい様相は、前記化粧部材に対して前記面発光パネルが取り付けられており、前記面発光パネルは、前記化粧部材と一体となっていることである。【００２８】
本様相によれば、取付部材に対して、面発光パネル及び化粧部材を同時に着脱でき、面発光パネル及び化粧部材を一体的に取り扱えるので、組み立てる際の作業性を向上できる。【００２９】
好ましい様相は、前記化粧部材に対して複数の面発光パネルが取り付けられており、各面発光パネルと前記化粧部材は、不可分一体となっていることである。【００３０】
ここでいう「不可分一体」とは、「一体」の一種であって、破壊しない限り、分けたり切り離したりできない状態をいう。【００３１】
本様相によれば、同時に複数の面発光パネル及び化粧部材を取付部材に対して着脱でき、組み立てる際の作業性を向上できる。【００３２】
好ましい様相は、前記化粧部材のヤング率が前記面発光パネルのヤング率よりも大きいことである。【００３３】
本様相によれば、化粧部材が面発光パネルに比べて撓みにくいので、化粧部材で面発光パネルの曲げ剛性を補強でき、面発光パネルが割れにくい。【００３４】
本発明の一つの様相は、上記の内装用建材を前記固定構造物の壁面に取り付ける内装用建材の取付構造であって、前記化粧部材は、一時締結要素によって前記固定構造物の壁面に対して固定されている内装用建材の取付構造である。【００３５】
ここでいう「一時締結要素」とは、締結要素の一種であって、被締結物を取り外せるように結合する機械構成要素の総称であり、ねじ、クランプ、ピン等を含む。【００３６】
本様相によれば、化粧部材が固定構造物の壁面から落下しにくい。
【発明の効果】
【００３７】
本発明の内装用建材及びその取付構造によれば、高い演出効果をもち面発光パネルの交換が容易に実施可能である。
【図面の簡単な説明】
【００３８】
【図１】本発明の第１実施形態の内装用建材の利用例を模式的に示した斜視図である。
【図２】図１の内装用建材の分解斜視図である。
【図３】図２の有機ＥＬモジュールの背面側からみた斜視図である。
【図４】図２の有機ＥＬパネルの分解斜視図である。
【図５】図２の有機ＥＬパネルを図４とは別方向からみた分解斜視図である。
【図６】図２の有機ＥＬパネルから第２ケース部材を取り外した状態を示す斜視図である。
【図７】図２の有機ＥＬパネルの縦断面斜視図である。
【図８】図５の第２ケース部材の斜視図である。
【図９】図８の第２ケース部材の背面図である。
【図１０】図８の第２ケース部材の要部の拡大図である。
【図１１】図２の化粧部材の説明図であり、（ａ）は正面側からみた斜視図であり、（ｂ）は背面側からみた斜視図である。
【図１２】図２の取付部材の斜視図である。
【図１３】本発明の内装用建材の施工方法の説明図であり、取付部材を壁面に取り付ける際の状況を表す斜視図である。
【図１４】本発明の内装用建材の施工方法の説明図であり、有機ＥＬモジュールを取付部材に取り付ける際の状況を表す斜視図である。
【図１５】図２の内装用建材の断面斜視図である。
【図１６】図１５の要部の拡大斜視図である。
【図１７】図１５の要部の断面図であり、（ａ）は要部の縦断面図であり、（ｂ）は要部の横断面図である。
【図１８】図１の内装用建材の説明図であり、（ａ）は消灯時の状況を表す正面図であり、（ｂ）は点灯時の状況を表す正面図である。
【図１９】本発明の第２実施形態の内装用建材の施工方法の説明図であり、（ａ）は壁面に固定された取付部材に有機ＥＬパネルを取り付ける際の斜視図であり、（ｂ）は化粧部材を壁面に取り付ける際の斜視図である。
【図２０】本発明の第３実施形態の内装用建材の有機ＥＬモジュールの断面図である。
【図２１】図２０の内装用建材の説明図であり、（ａ）は消灯時の状況を表す正面図であり、（ｂ）は点灯時の状況を表す正面図である。
【図２２】本発明の第４実施形態の内装用建材の有機ＥＬモジュールの断面図である。
【図２３】本発明の他の実施形態の内装用建材の施工方法の説明図である。
【図２４】本発明の他の実施形態の内装用建材の施工方法の説明図である。
【図２５】本発明の他の実施形態の有機ＥＬモジュールの説明図であり、（ａ）は一枚の化粧部材に一枚の有機ＥＬパネルが取り付けられた場合を示し、（ｂ）は一枚の化粧部材に複数の有機ＥＬパネルが面状に取り付けられた場合を示す。
【発明を実施するための形態】
【００３９】
以下、本発明の実施形態について詳細に説明する。
本発明の第１実施形態の内装用建材１は、図１のように、建物の内装を構成すものであり、他の内装用建材１とともに、壁や天井、床などの固定構造物の壁面３００に対して面状に分布して取り付けられ、居住空間３０５側に露出して設けられる建材である。
なお、以下の説明において、内装用建材１の姿勢は、特に断りのない限り、図１の姿勢を基準とする。すなわち、内装用建材１は、図２のように縦姿勢で壁面３００に取りつけられ、有機ＥＬモジュール２が居住空間３０５側を向いた姿勢を基準とする。
【００４０】
内装用建材１は、図２のように、主要構成部材として、有機ＥＬモジュール２と、取付部材３（３ａ〜３ｄ）を備えており、取付部材３が壁面３００に取り付けられた状態で有機ＥＬモジュール２を相対的にスライド移動させることで、有機ＥＬモジュール２と取付部材３を互いに着脱可能となっている。
【００４１】
有機ＥＬモジュール２は、図２，図３から読み取れるように、複数の有機ＥＬパネル５（５ａ〜５ｄ）（面発光パネル）と、化粧部材６と、複数の接続用ケーブル部材７（７ａ〜７ｃ）を備えており、各有機ＥＬパネル５ａ〜５ｄが接続用ケーブル部材７ａ〜７ｃによって接続されている。具体的には、有機ＥＬモジュール２は、各有機ＥＬパネル５ａ〜５ｄが接続用ケーブル部材７ａ〜７ｃによって電気的に直列接続されており、一の有機ＥＬパネル５ａに給電することで各有機ＥＬパネル５ａ〜５ｄに給電可能となっている。
【００４２】
有機ＥＬパネル５は、図２のように、正面視四角形状の板状パネルであって、四角形状の発光面８を有した面発光パネルであり、発光面８から拡散光を照射可能となっている。有機ＥＬパネル５は、図４，図５から読み取れるように、パネル本体１０と、回路基板１１と、第１ケース部材１２と、第２ケース部材１５を備えている。
【００４３】
パネル本体１０は、有機ＥＬ素子を内蔵した有機ＥＬ装置であり、通電することで有機ＥＬ素子が発光可能となっている。この有機ＥＬ素子は、対向する２つの電極層で有機発光層を挟んだものである。
【００４４】
パネル本体１０は、図４から読み取れるように、正面視したときに中央部分に発光面８に対応する発光領域部２０が形成されており、発光領域部２０の周囲を囲むように額縁領域部２１が形成されている。
発光領域部２０は、点灯時に発光する発光領域であり、所望の発光色で発光可能となっている。発光領域部２０は、有機ＥＬ素子の第１電極層と、有機発光層と、第２電極層の重畳部分に対応する領域であり、点灯時に拡散光を放射する拡散光放射領域でもある。すなわち、発光面８は、発光領域部２０に属する拡散光放射面である。発光領域部２０は、パネル本体１０と相似形状をしており、具体的には四角形状をしている。
【００４５】
額縁領域部２１は、発光領域部２０以外の領域であって、点灯時に非発光の非発光領域である。額縁領域部２１は、発光領域部２０の周囲を環状に連続しており、具体的には、四角環状となっている。
【００４６】
パネル本体１０は、図５のように、その背面にパネル側給電部２２が設けられている。
パネル側給電部２２は、パネル本体１０の内部の有機ＥＬ素子と電気的に接続され、パネル本体１０の端部近傍から舌状に延びた部位である。パネル側給電部２２は、パネル本体１０の縁近傍から片持ち状に支持されており、その先端部にパネル側コネクター部２３を備えている。パネル側給電部２２の基端部は、額縁領域部２１の背面（額縁領域部２１の厚み方向の投影面上）に位置しており、パネル側給電部２２の先端部に位置するパネル側コネクター部２３は、発光領域部２０の背面（発光領域部２０の厚み方向の投影面上）に位置している。
【００４７】
パネル側コネクター部２３は、図６から読み取れるように、有機ＥＬパネル５を組み立てたときに、回路基板１１のパネル用コネクター部３３と接続し、パネル本体１０の有機ＥＬ素子を回路基板１１に電気的に接続するコネクターである。すなわち、パネル側コネクター部２３は、回路基板１１のパネル用コネクター部３３と対をなすコネクターであり、具体的にはオスコネクターである。パネル側コネクター部２３は、回路基板１１のパネル用コネクター部３３に挿入可能となっている。
【００４８】
回路基板１１は、パネル本体１０に内蔵される有機ＥＬ素子に対して調光等の制御を行う制御基板である。回路基板１１は、図６のように、プリント基板上に接続用コネクター部３１，３２と、パネル用コネクター部３３が実装されており、図子しないプリント配線を介して接続用コネクター部３１，３２とパネル用コネクター部３３が電気的に接続されている。
接続用コネクター部３１，３２は、ケーブル部材７，３０１のコネクター部１３０ａ，１３０ｂ，３０２（図２，図３を参照）と接続可能なコネクターであり、コネクター部１３０ａ，１３０ｂ，３０２と接続することで外部から電力を受電可能となっている。具体的には、接続用コネクター部３１，３２は、ともに同一形状をしたメスコネクターであり、図３のように、いずれにもケーブル部材７，３０１のコネクター部１３０ａ，１３０ｂ，３０２を接続可能となっている。
【００４９】
パネル用コネクター部３３は、図６のように、パネル本体１０のパネル側コネクター部２３と対をなすコネクターであり、パネル本体１０に対して給電する給電コネクターである。具体的には、パネル用コネクター部３３は、メスコネクターであり、パネル側コネクター部２３を挿入可能となっている。
【００５０】
第１ケース部材１２は、パネル本体１０の周端部近傍を保護する保護フレームであり、電気絶縁性を有した絶縁ケースでもある。第１ケース部材１２は、図５，図６から読み取れるように、主に、発光側覆部５０と、端面側覆部５１と、ケース側固定片５２ａ〜５２ｈから構成されている。
【００５１】
発光側覆部５０は、図４のように、パネル本体１０の正面（発光面８側）の一部を覆う部位であり、具体的には、パネル本体１０の額縁領域部２１を覆う部位である。発光側覆部５０は、パネル本体１０の発光面８の縁に沿って環状に延びており、発光面８から照射される光を通過させて外部に取り出す取出開口５３を備えている。
【００５２】
端面側覆部５１は、図６のように、パネル本体１０の端面の一部又は全部を覆う部位であり、正面視したときに発光側覆部５０の外側端部から有機ＥＬパネル５の厚み方向に立設された壁部である。
【００５３】
ケース側固定片５２ａ〜５２ｈは、図５から読み取れるように、第２ケース部材１５と係合して固定する係合片であり、第２ケース部材１５を離反方向への移動を係止する係止片である。ケース側固定片５２ａ〜５２ｈは、それぞれ端面側覆部５１の端部（発光側覆部５０と反対側の端部）から内側に向かって折り曲げられており、パネル本体１０の各辺に対応するようにそれぞれ設けられている。
【００５４】
第２ケース部材１５は、第１ケース部材１２とともにパネル本体１０及び回路基板１１を保護する保護ケースであって電気絶縁性を有した絶縁ケースでもあり、さらに取付部材３に対して有機ＥＬモジュール２を固定する固定部材でもある。第２ケース部材１５は、図７のように、背面側覆部７０と、端面側覆部７１を備えている。
【００５５】
背面側覆部７０は、パネル本体１０及び回路基板１１の背面側を覆う板状の部位であり、背面視したときに四角形状であって、側面視したときに略中央部位が背面側に向かって突出した略凸状形状となっている。
【００５６】
背面側覆部７０は、図８のように、本体部７２と、台座部７３を備えている。
本体部７２は、主にパネル本体１０の背面を保護する保護部であって、パネル本体１０を支持する支持部でもあり、図９のように、各辺に固定凹部７５ａ〜７５ｈを備えている。
固定凹部７５ａ〜７５ｈは、第１ケース部材１２のケース側固定片５２ａ〜５２ｈと係合可能であって、背面視したときに各辺から中央側に向かって延びた溝状の凹部である。
【００５７】
台座部７３は、回路基板１１を格納して保護する部位であり、取付部材３に対して着脱可能となっている。台座部７３は、図８のように、背面側覆部７０の他の部分たる本体部７２に対して段差を構成し、凸状に隆起した隆起部である。
台座部７３は、有機ＥＬパネル５を組み立てたときに、回路基板１１を避けるように背面側に向かって突出している。すなわち、台座部７３は、図４のように、正面側からみると、回路基板１１を収納可能な格納凹部８０が形成されており、格納凹部８０の窪み分、本体部７２から背面側に突出している。
【００５８】
台座部７３は、図８のように、第１隆起部８１と、第２隆起部８２を備えており、背面側に向かって段状に本体部７２から隆起している。
第１隆起部８１は、本体部７２に対して隆起し、背面視したときに略コ字状となる部位であり、図８のように、第１背面側壁部８５と、第１接続壁部８６を備えている。
第１背面側壁部８５は、本体部７２に対して背面側に位置する壁部であり、実質的に凹凸のない平面状をしている。
ここでいう「実質的に凹凸がない平面」とは、凹凸によって他の部材と係合しない程度に凹凸がない面をいい、凹凸によって他の部材と係合しない微細な凹凸がある面も含む。以下、特に断りのない限り、同様とする。
第１接続壁部８６は、本体部７２から直立し、本体部７２と第１背面側壁部８５の外周縁を接続する壁部である。
【００５９】
第２隆起部８２は、第１隆起部８１に対してさらに隆起する部位であって、背面視したときに回路基板１１の大部分又は全部と重畳し、回路基板１１を覆う部位であり、略四角形状をしている。第２隆起部８２は、図８のように、第２背面側壁部８７と、第２接続壁部８８を備えている。
第２背面側壁部８７は、第１背面側壁部８５に対して背面側に位置する壁部であり、実質的に凹凸のない平面状をしている。
第２接続壁部８８は、第１背面側壁部８５に対して直立し、第１背面側壁部８５と第２背面側壁部８７の外周縁を接続する壁部である。
【００６０】
台座部７３は、図９のように、横方向Ｘにおける第１隆起部８１と第２隆起部８２の境界部分にスライド溝９０，９１を備えている。
スライド溝９０，９１は、厚み方向に深さをもち、縦方向Ｙ（上下方向）に直線状に延びた有底溝であって、取付部材３の取付側係合部１５１の移動を規制するガイド溝である。スライド溝９０，９１は、第１隆起部８１と第２隆起部８２に跨って形成されており、第１隆起部８１と第２隆起部８２のそれぞれの一部を切り欠いている。
【００６１】
スライド溝９０，９１の底部には、縦方向Ｙの中間部にケース側係止片９２，９３を備えている。
ケース側係止片９２，９３は、取付部材３の取付側係止片１５２，１５３と係合して取付部材３に対する有機ＥＬモジュール２の縦方向Ｙ（鉛直方向）の移動を規制する規制部である。ケース側係止片９２，９３は、スライド溝９０，９１の底部から背面側に向かって突出した突条であり、スライド溝９０，９１の延び方向に対して直交する方向に延びている。
【００６２】
台座部７３は、図８のように、第２接続壁部８８に対して直立したパネル側係合部９５ａ〜９５ｄを備えている。
パネル側係合部９５ａ〜９５ｄは、台座部７３の隆起方向に対して直交する方向に突出した係合片であり、図１０のように、側面視略「Ｌ」字状となっている。パネル側係合部９５ａ〜９５ｄは、互いに交差する第１係合部９６と第２係合部９７を備えており、第１係合部９６と本体部７２との間に挿入空間９８が形成されている。パネル側係合部９５ａ〜９５ｄは、第２接続壁部８８に対して直立してスライド溝９０，９１側に張り出した張出片であり、スライド溝９０，９１の厚み方向の投影面上に位置している。
【００６３】
第１係合部９６は、図１０のように、側面視したときに第２背面側壁部８７の縦辺１００又は縦辺１０１に沿って縦方向Ｙに延び、背面視したときに、第２背面側壁部８７と連続し第２接続壁部８８に対して外側に向かって張り出した部位である。すなわち、第１係合部９６は、第２背面側壁部８７から軒状に突出した第２背面側壁部８７の延在部であるともいえる。
【００６４】
第２係合部９７は、側面視したときに第１係合部９６の縦方向Ｙの一方の端部（上側端部）から部材厚方向に延び、背面視したときに第２接続壁部８８に対して外側に向かって張り出した部位である。
【００６５】
パネル側係合部９５ａ，９５ｂは、図８のように、背面視したときに、第２背面側壁部８７の一方の縦辺１００に沿って設けられており、縦方向Ｙに間隔を空けて配されている。具体的には、パネル側係合部９５ａは、縦辺１００の上端部近傍に設けられており、パネル側係合部９５ｂは、縦辺１００の下端部近傍に設けられている。
パネル側係合部９５ｃ，９５ｄは、第２背面側壁部８７の他方の縦辺１０１に設けられており、縦方向Ｙに間隔を空けて配されている。具体的には、パネル側係合部９５ｃは、縦辺１０１の上端部近傍に設けられており、パネル側係合部９５ｄは、縦辺１０１の下端部近傍に設けられている。
パネル側係合部９５ａ，９５ｂは、横方向Ｘにおいてパネル側係合部９５ｃ，９５ｄと対応する位置に配されている。パネル側係合部９５ａ，９５ｂは、図９のように、背面視右側に向かって延在しており、パネル側係合部９５ｃ，９５ｄは、背面視左側に向かって延在している。すなわち、パネル側係合部９５ａ，９５ｂとパネル側係合部９５ｃ，９５ｄは、互いに離反する方向に張り出している。
【００６６】
台座部７３は、図８のように、第１隆起部８１の下側端部から縦方向Ｙに延びたコネクター用切り欠き部１０２を備えている。
コネクター用切り欠き部１０２は、図７のように、回路基板１１の接続用コネクター部３１，３２にケーブル部材３０１のコネクター部１３０ａ，１３０ｂ，３０２（図２，図３参照）を接続するための切り欠きであり、第１隆起部８１と第２隆起部８２に跨った切り欠きである。すなわち、コネクター用切り欠き部１０２には、ケーブル部材７，３０１のコネクター部１３０ａ，１３０ｂ，３０２を通過可能な開口が形成されている。
【００６７】
端面側覆部７１は、背面側覆部７０の各辺に沿って立ち上がった壁部であり、パネル本体１０の端面を覆う部位である。
【００６８】
ここで、有機ＥＬパネル５の各部位の位置関係について説明する。
【００６９】
有機ＥＬパネル５は、図７から読み取れるように、パネル本体１０の背面側に回路基板１１が配されており、パネル側コネクター部２３がパネル用コネクター部３３に挿入されて接続されている。
パネル本体１０及び回路基板１１は、第１ケース部材１２及び第２ケース部材１５に挟まれており、第１ケース部材１２のケース側固定片５２は、第２ケース部材１５の固定凹部７５ａ〜７５ｈと係合している。すなわち、回路基板１１の背面は、第２ケース部材１５によって覆われており、回路基板１１のコネクター部３１〜３３等が格納凹部８０に格納されている。
回路基板１１の接続用コネクター部３１，３２は、コネクター用切り欠き部１０２付近に位置し、その差込開口が第２ケース部材１５のコネクター用切り欠き部１０２から露出している。そのため、接続用コネクター部３１，３２は、第２ケース部材１５の背面側からケーブル部材７，３０１のコネクター部１３０ａ，１３０ｂ，３０２をそれぞれ差込可能となっている。
【００７０】
化粧部材６は、有機ＥＬパネル５の光出射面に設けられ、表面を装飾する部材であり、面状に広がりをもった内装板である。本実施形態の化粧部材６は、横長長方形状の板材であり、幅が有機ＥＬパネル５の幅（横方向の長さ）の４倍程度の大きさとなっている。
また、化粧部材６の厚みは、有機ＥＬパネル５よりも厚く、ヤング率も有機ＥＬパネル５よりも大きい。すなわち、化粧部材６は、曲げ強度が大きく、有機ＥＬパネル５よりも撓みにくい。
化粧部材６は、透明材料を主材料とするものであり、図１１のように、透明基材１２０の一方の主面に第１模様形成層１２１が形成され、透明基材１２０の他方の主面に第２模様形成層１２２が形成されたものである。
ここでいう「主材料」とは、全材料の５０％以上占める材料をいう。
【００７１】
透明基材１２０は、透明性をもつ透明基板であり、本実施形態では透明樹脂基板である。
【００７２】
第１模様形成層１２１は、半透光性であって、着色模様を形成する着色模様層であり、化粧部材６の内装面を構成する層である。
ここでいう「半透光性」とは、光の一部分を透過するものであり、完全に光を透過する透光性と完全に光を透過しない不透過性の中間をいう。
第１模様形成層１２１は、光透過率が１０％以上９０％以下であることが好ましく、３０％以上６０％以下であることがより好ましい。
本実施形態の第１模様形成層１２１は、木粉と熱可塑性樹脂を混練，押出成形又は射出成形した複合材であるウッド・プラスチック複合材料で形成されており、木目調の第１模様１２３が形成されている。
第１模様１２３は、透明基材１２０の一方の主面の一部又は全面に形成されている。
【００７３】
第２模様形成層１２２は、着色模様を形成する着色模様層であり、有機ＥＬパネル５からの照射光の一部を透過可能となっている。本実施形態の第２模様形成層１２２は、模様が描かれた多孔質体たる着色模様和紙で形成されており、その一部に花柄の第２模様１２５が形成されている。
第２模様１２５は、第１模様１２３と異なる模様であり、本実施形態では第１模様１２３には含まれない模様である。第２模様１２５は、透明基材１２０の他方の主面の一部又は全面に形成されている。
第２模様形成層１２２は、第１模様形成層１２１と透明基材１２０を挟んで化粧部材６の厚み方向に対向している。
【００７４】
接続用ケーブル部材７（７ａ〜７ｃ）は、図３のように、隣接する有機ＥＬパネル５，５間を接続するケーブルであり、線状であって、その長手方向の両端部にコネクター部１３０ａ，１３０ｂを備えている。コネクター部１３０ａ，１３０ｂは、いずれも有機ＥＬパネル５の接続用コネクター部３１，３２と接続可能となっている。
【００７５】
取付部材３（３ａ〜３ｄ）は、図１２のように固定構造物の壁面３００に対して有機ＥＬモジュール２を取り付ける部材であり、本体部１５０と、取付側係合部１５１ａ〜１５１ｄと、取付側係止片１５２，１５３と、取付孔１５５ａ〜１５５ｄを備えている。
【００７６】
本体部１５０は、開口形状が略四角形状の貫通孔１５６を有する板状部分である。
貫通孔１５６は、部材厚方向に貫通した貫通孔であり、有機ＥＬパネル５の台座部７３を挿着可能な挿通孔である。
【００７７】
取付側係合部１５１ａ〜１５１ｄは、有機ＥＬパネル５の第２ケース部材１５のパネル側係合部９５ａ〜９５ｄと係合可能な係合片であり、本体部１５０に対して正面側に向かって突出した突出片である。取付側係合部１５１ａ〜１５１ｄは、本体部１５０の貫通孔１５６の開口縁から片持ち状に支持され、本体部１５０から貫通孔１５６の中央側に向かって張り出した張出片でもある。
【００７８】
取付側係合部１５１は、図１２の拡大図のように、接続壁部１６０と、立壁部１６１と、係止壁部１６２から構成されており、接続壁部１６０と係止壁部１６２が立壁部１６１によって段差をもって接続されている。
【００７９】
取付側係止片１５２，１５３は、有機ＥＬパネル５の第２ケース部材１５のケース側係止片９２，９３と係合し、取付部材３に対する有機ＥＬモジュール２の縦方向Ｙの移動を規制する規制部である。取付側係止片１５２，１５３は、本体部１５０の貫通孔１５６の開口縁から片持ち状に支持され、本体部１５０から貫通孔１５６の中央側に向かって張り出した張出片でもある。
取付側係止片１５２，１５３は、縦方向Ｙにおいて波状に折れ曲げられており、横方向Ｘに延びる取付側凸部１６５，１６６が形成されている。
取付側凸部１６５，１６６は、高さ方向（縦方向Ｙ）において所定の間隔を空けて並設されており、その側壁によって取付側凹部１６７を形成している。
取付側凹部１６７は、ケース側係止片９２，９３と係合可能な係合凹部である。
取付孔１５５ａ〜１５５ｄは、ネジ等の締結要素３０３を挿通可能な挿通孔である。
【００８０】
ここで、取付部材３の各部位の位置関係について説明する。
【００８１】
取付部材３は、図１２のように、横方向Ｘにおいて貫通孔１５６が中央に形成されており、貫通孔１５６の外側に取付孔１５５ａ，１５５ｂ及び取付孔１５５ｃ，１５５ｄがそれぞれ配されている。取付側係合部１５１ａ〜１５１ｄ及び取付側係止片１５２，１５３は、それぞれ貫通孔１５６の縁から中央側に向かって延伸している。具体的には、取付側係合部１５１ａ，１５１ｂと取付側係合部１５１ｃ，１５１ｄは、横方向Ｘであって、互いに近接する方向（内側方向）に延びている。同様に、取付側係止片１５２と取付側係止片１５３は、横方向Ｘであって、互いに近接する方向（内側方向）に延びている。
【００８２】
取付部材３は、縦方向Ｙにおいて、取付側係止片１５２，１５３が中央に設けられており、取付側係合部１５１ａ，１５１ｃ及び取付側係合部１５１ｂ，１５１ｄが取付側係止片１５２，１５３の外側に設けられている。取付部材３は、取付側係止片１５２，１５３を基準に上下が対称となっている。すなわち、取付側係合部１５１ａ，１５１ｃと取付側係止片１５２，１５３との距離と取付側係合部１５１ｂ，１５１ｄと取付側係止片１５２，１５３との距離は等しい。
【００８３】
続いて、本発明の第１実施形態の内装用建材１の各部材の位置関係を説明する。
【００８４】
内装用建材１は、取付部材３と化粧部材６の間に、複数の有機ＥＬパネル５ａ〜５ｄが介在している。具体的には、内装用建材１は、図２，図３から読み取れるように、各有機ＥＬパネル５ａ〜５ｄの発光面８，８，８，８が同一方向を向いており、化粧部材６が各有機ＥＬパネル５ａ〜５ｄの発光面８，８，８，８に跨って覆っている。そして、化粧部材６と各有機ＥＬパネル５ａ〜５ｄは、図示しない透明接着材によって接着されている。すなわち、化粧部材６は、各有機ＥＬパネル５ａ〜５ｄの発光面８と対面し、各有機ＥＬパネル５ａ〜５ｄの発光面８の各境界部分を跨って設けられており、各有機ＥＬパネル５ａ〜５ｄと不可分一体となっている。
なお、ここでいう「接着材」とは、少なくとも２部材を接着できるものをいい、液状又はゲル状の接着剤が硬化したものだけではなく、シート又はテープの表面に粘着加工された粘着シートや粘着テープ（例えば、両面テープ）も含む。すなわち、接着時の性状は問わない。なお、化粧部材６の一部を融着して有機ＥＬパネル５に接着してもよい。
また、透明接着材は、第１ケース部材１２の発光側覆部５０のみに設けられていてもよいし、パネル本体１０の発光面８にも跨って設けられてもよい。
【００８５】
化粧部材６は、第２模様形成層１２２が第１模様形成層１２１よりも有機ＥＬパネル５側に位置しており、第１模様形成層１２１の第１模様１２３は消灯時において外観に反映されている。
化粧部材６の有機ＥＬパネル５側の面と、有機ＥＬパネル５の発光面８は、概ね平行であり、これらの間の距離が０ｍｍ以上１０ｍｍ以下であることが好ましい。
また、第１模様形成層１２１は、有機ＥＬパネル５の発光面８との距離が５０ｍｍ以内であることが好ましい。
【００８６】
続いて、本発明の第１実施形態の内装用建材１の施工方法を説明する。
なお、説明の都合上、あらかじめ壁面３００からケーブル部材３０１のコネクター部３０２が露出した状態から説明する。
【００８７】
まず、図１３のように締結要素３０３を取付部材３ａ〜３ｄの取付孔１５５ａ〜１５５ｄに挿通させ、壁面３００に対して各取付部材３ａ〜３ｄをそれぞれ取り付ける。
【００８８】
このとき、ケーブル部材３０１のコネクター部３０２は、取付部材３ａの背面側から取付部材３ａの貫通孔１５６を通過し、正面側に張り出している。取付部材３ａ〜３ｄは、本体部１５０が壁面３００と面接触しており、係合部１５１ａ〜１５１ｄ及び係止片１５２，１５３は、本体部１５０から前方側に張り出している。
【００８９】
次に、図１４のように有機ＥＬモジュール２の各台座部７３を各取付部材３ａ〜３ｄの貫通孔１５６内に挿入し、貫通孔１５６内に第２隆起部８２が嵌まった状態で縦方向Ｙ下側にスライド移動させて、取付側係合部１５１ａ〜１５１ｄにパネル側係合部９５ａ〜９５ｄを係合させる。
【００９０】
このとき、図１５，図１６から読み取れるように、取付側係合部１５１の係止壁部１６２が背面側覆部７０の挿入空間９８に挿入されており、有機ＥＬパネル５は取付側係合部１５１の係止壁部１６２によって取付部材３に対する重なり方向（厚み方向）及びスライド方向（縦方向）に移動するように規制されている。取付部材３の取付側係止片１５２，１５３は、有機ＥＬパネル５のケース側係止片９２，９３が係合しており、スライド方向（縦方向）の移動が規制されている。
ケース側係止片９２（９３）は、図１７（ａ）のように、取付側凹部１６７に嵌まっており、取付側凹部１６７の側壁をなす取付側凸部１６５，１６６に挟まっている。そのため、ケース側係止片９２（９３）は、取付側凸部１６５，１６６によってスライド方向の移動が規制されている。
取付側係合部１５１の係止壁部１６２は、図１７（ｂ）のように、スライド溝９０，９１内に位置しており、第１隆起部８１よりも低い位置（底部側）となっている。すなわち、取付側係合部１５１は、スライド溝９０，９１の内側壁によって挟まれており、スライド方向に対して直交方向（横方向Ｘ）の移動が制限されている。
取付部材３と有機ＥＬパネル５の間には、隙間が形成されている。取付部材３は、正面視したときに本体部１５０が有機ＥＬパネル５によって隠れており、締結要素３０３が操作不能となっている。
【００９１】
なお、有機ＥＬモジュール２を取付部材３から取り外す際には、縦方向Ｙ上側にスライド移動させて、取付側係合部１５１ａ〜１５１ｄとパネル側係合部９５ａ〜９５ｄの係合を解除し、有機ＥＬモジュール２の各台座部７３を各取付部材３ａ〜３ｄの貫通孔１５６から取り外す。
【００９２】
続いて、本発明の第１実施形態の内装用建材１の消灯時から点灯させた場合の有機ＥＬモジュール２の変化について説明する。
【００９３】
消灯時の有機ＥＬモジュール２は、居住空間３０５側に露出した第１模様形成層１２１の第１模様１２３が有機ＥＬモジュール２の表面模様となっている。すなわち、消灯時の有機ＥＬモジュール２は、第２模様形成層１２２が設けられているものの、有機ＥＬパネル５側から光が通過しないので第２模様１２５が表面に反映されず、第１模様１２３が視認可能な状態となっている（図１８（ａ））。
【００９４】
有機ＥＬモジュール２を点灯させると、各有機ＥＬパネル５の発光面８からの照射光が第２模様形成層１２２、透明基材１２０、及び第１模様形成層１２１を透過して外部に出射し、第２模様形成層１２２に設けられた第２模様１２５が表面に反映され、浮き上がり模様として第２模様１２５が視認可能な状態となる（図１８（ｂ））。
このとき、各有機ＥＬパネル５の発光面８からの照射光は、化粧部材６の内部で交わって化粧部材６の外側面から出射する。
【００９５】
本実施形態の内装用建材１によれば、消灯状態では化粧部材６が木目調の第１模様１２３を発現しているので普通の木目調の壁として視認され、点灯状態では有機ＥＬパネル５から拡散光が放射され、第２模様１２５が発現するので、普通の木目調の壁とは異なる美観を生じる壁として視認される。そのため、消灯時と点灯時で外観が異なり、美観及び演出性に優れた壁面を構成できる。
【００９６】
本実施形態の内装用建材１によれば、有機ＥＬモジュール２が取付部材３に対して着脱可能であるので、有機ＥＬモジュール２の交換やメンテナンス等を実施しやすい。
【００９７】
本実施形態の内装用建材１によれば、光源として、拡散光を照射する有機ＥＬパネル５を使用しているので、点灯時に自然光に近い柔らかい光で居住空間３０５側を照射できる。また、面状光源の有機ＥＬパネル５を光源としているので、点灯時に第２模様１２５に色むらが生じにくい。
【００９８】
続いて、本発明の第２実施形態の内装用建材２００について説明する。なお、第１実施形態と同様の構成については同様の符号を振って説明を省略する。
【００９９】
第２実施形態の内装用建材２００は、第１実施形態の内装用建材１とは化粧部材６と有機ＥＬパネル５が分割可能である点で異なる。
第２実施形態の化粧部材６は、図１９（ｂ）のように、第１実施形態の化粧部材６よりも横方向Ｘにおいて若干大きく、長手方向（横方向Ｘ）の両端部にそれぞれ固定孔２０１を備えている。
固定孔２０１は、化粧部材６の部材厚方向に貫通した貫通孔であり、一時締結要素３１０を挿通可能な挿通孔である。固定孔２０１は、正面視したときに有機ＥＬパネル５の並設方向の外側にあって化粧部材６の４隅近傍に設けられている。
【０１００】
以下、第２実施形態の内装用建材２００の施工方法について説明する。
【０１０１】
まず、図１９（ａ）のように締結要素３０３を取付部材３ａ〜３ｄの取付孔１５５ａ〜１５５ｄに挿通させ、壁面３００に対して各取付部材３ａ〜３ｄをそれぞれ取り付け、各取付部材３ａ〜３ｄに対して有機ＥＬパネル５ａ〜５ｄをそれぞれ取り付ける。
【０１０２】
このとき、有機ＥＬパネル５は、横方向に一列に並設されており、隣接する有機ＥＬパネル５，５は、並設方向の端面たる端面側覆部５１，５１同士が互いに対向し、近接した状態となっている。隣接する有機ＥＬパネル５，５の並設方向の端面間の距離は、０ｍｍ以上１０ｍｍ以下であることが好ましい。本実施形態では、隣接する有機ＥＬパネル５，５の並設方向の端面同士が密着している。すなわち、隙間なく有機ＥＬパネル５が並んでいる。
【０１０３】
次に、図１９（ｂ）のように化粧部材６の固定孔２０１に一時締結要素３１０を挿通し、一時締結要素３１０によって、化粧部材６を壁面３００に対して固定し、内装用建材２００の取付構造を形成する。
【０１０４】
このとき、化粧部材６の第２模様形成層１２２と各有機ＥＬパネル５ａ〜５ｄの発光面８は対面している。化粧部材６の有機ＥＬパネル５側の面と、有機ＥＬパネル５の発光面８は、密着していることが好ましい。
【０１０５】
なお、有機ＥＬモジュール２を取付部材３から取り外す際には、まず、一時締結要素３１０を壁面３００から取り外し、化粧部材６を取り外す。そして、縦方向Ｙ上側にスライド移動させて、取付側係合部１５１ａ〜１５１ｄとパネル側係合部９５ａ〜９５ｄの係合を解除し、有機ＥＬモジュール２の各台座部７３を各取付部材３ａ〜３ｄの貫通孔１５６から取り外す。
【０１０６】
続いて、本発明の第３実施形態の内装用建材２５０について説明する。なお、第１，２実施形態と同様の構成については同様の符号を振って説明を省略する。
【０１０７】
第３実施形態の内装用建材２５０は、第１実施形態の内装用建材１と化粧部材の構造が異なり、図２０のように透明基板２５２の一方の主面に模様形成層２５３が形成されている。
【０１０８】
模様形成層２５３は、透明樹脂フィルムに第１熱変色性インキによって描かれた第１模様２５５と、第２熱変色インキによって第２模様２５６が描かれたものである。
【０１０９】
第１熱変色性インキは、所定の温度（第１変色温度）を基準として可逆的に有色−無色の変化を示すインキであり、第１変色温度未満では有色を呈し、第１変色温度以上では無色を呈するものである。
第１変色温度は、有機ＥＬパネル５の点灯時に発光面８によって昇温する温度であり、摂氏４０度以上摂氏６０度以下であることが好ましい。
この範囲であれば、気温等によって変色しにくく、感度も良好となる。
【０１１０】
第２熱変色性インキは、所定の温度（第２変色温度）を基準として可逆的に無色−有色の変化を示すインキであり、第２変色温度未満では無色を呈し、第２変色温度以上では有色を呈するものである。
第２変色温度は、有機ＥＬパネル５の点灯時に発光面８によって昇温する温度であり、摂氏４０度以上摂氏６０度以下であることが好ましい。
この範囲であれば、気温等によって変色しにくく、感度も良好となる。
なお、第１変色温度と第２変色温度は同じ温度であってもよいし、異なる温度であってもよい。第１変色温度と第２変色温度の温度差は、摂氏５度以下であることが好ましい。この範囲であれば、点灯時の温度変化に伴って、第１模様２５５から第２模様２５６に滑らかに変化させることができる。
【０１１１】
内装用建材２５０は、化粧部材２５１の模様形成層２５３が有機ＥＬパネル５の発光面８側に位置しており、透明基板２５２が居住空間３０５側に位置している。
【０１１２】
続いて、本発明の第３実施形態の内装用建材２５０の消灯時から点灯させた場合の有機ＥＬモジュールの変化について説明する。
【０１１３】
消灯時の有機ＥＬモジュールは、図２１（ａ）のように、化粧部材２５１の温度が低く、各変色温度未満であるので、第１模様２５５が発現しており、第２模様２５６が消失している。そのため、第１模様２５５のみが視認可能な状態となる。
【０１１４】
有機ＥＬモジュール２を点灯させ、有機ＥＬパネル５の発光面８からの照射光が模様形成層２５３及び透明基板２５２を透過して外部に出射し、発光面８の発熱によって化粧部材２５１の温度が各変色温度以上となると、図２１（ｂ）のように、第１模様２５５が消失し、第２模様２５６が発現する。そのため、第２模様２５６のみが視認可能な状態となる。
【０１１５】
第３実施形態の内装用建材２５０によれば、消灯及び点灯による化粧部材２５１の温度変化によって、一方の模様が発現し、他方の模様が消失するので、内装用建材２５０の表面に鮮明な模様を映し出すことができる。
【０１１６】
続いて、本発明の第４実施形態の内装用建材２７０について説明する。なお、第１〜３実施形態と同様の構成については同様の符号を振って説明を省略する。
【０１１７】
第４実施形態の内装用建材２７０は、第３実施形態の内装用建材２５０と化粧部材の構造が異なる。第４実施形態の化粧部材２７１は、図２２のように透明基板２７２の一方の主面上に第１模様形成層２７３及び第２模様形成層２７４がこの順に積層されている。
【０１１８】
第１模様形成層２７３は、透明樹脂フィルムに第１熱変色性インキによって描かれた第１模様２５５を備えている。
第２模様形成層２７４は、透明樹脂フィルムに非変色性インキによって描かれた第２模様２５６を備えている。
非変色性インキは、有機ＥＬモジュール２の作動温度域では原則的に変色しないインキであり、汎用のインキである。
【０１１９】
内装用建材２７０は、化粧部材２７１において第２模様形成層２７４が有機ＥＬパネル５の発光面８側に位置しており、第１模様形成層２７３が居住空間３０５側に位置している。
【０１２０】
続いて、本発明の第４実施形態の内装用建材２７０の消灯時から点灯させた場合の有機ＥＬモジュールの変化について説明する。
【０１２１】
消灯時の有機ＥＬモジュールは、化粧部材２７１の温度が低く、第１変色温度未満であるので、第１模様２５５が発現している。また第２模様形成層２７４が設けられているものの、有機ＥＬパネル５側から光が通過しないので第２模様２５６が表面に反映されず、居住空間３０５側からの光により第１模様２５５のみが視認可能な状態となる。
【０１２２】
有機ＥＬモジュール２を点灯させ、有機ＥＬパネル５の発光面８からの照射光が第２模様形成層２７４、第１模様形成層２７３、及び透明基板２７２を透過して外部に出射して、第２模様２５６が表面に映し出され、さらに有機ＥＬパネル５の発光面８の発熱によって化粧部材２７１の温度が変色温度以上となると、第１模様２５５が消失する。そのため、第２模様２５６のみが視認可能な状態となる。
【０１２３】
上記した第１実施形態では、各有機ＥＬパネル５に対応させて取付部材３を壁面３００に取りつけたが本発明はこれに限定されるものではない。例えば、図２３のように並設方向の両端の有機ＥＬパネル５を固定する取付部材３のみを壁面３００に固定し、有機ＥＬモジュール２を取り付けてもよい。また、図２４のように係合部１５１ａ〜１５１ｄ及び係止片１５２，１５３を備えた一つの取付部材によって有機ＥＬモジュール２を取り付けてもよい。
【０１２４】
上記した第１実施形態では、化粧部材６は、有機ＥＬパネル５の発光面８側から順に第２模様形成層１２２、透明基材１２０、及び第１模様形成層１２１が直接積層された構造であったが、本発明はこれに限定されるものではない。有機ＥＬパネル５の発光面８と第２模様形成層１２２の間、第２模様形成層１２２と透明基材１２０の間、透明基材１２０と第１模様形成層１２１の間、及び第１模様形成層１２１の外側のそれぞれに適宜他の層を設けてもよい。
同様に、上記した第３実施形態では、化粧部材２５１は、有機ＥＬパネル５の発光面８側から順に模様形成層２５３、透明基板２５２が直接積層した構造であったが、本発明はこれに限定されるものではない。有機ＥＬパネル５の発光面８と模様形成層２５３の間、模様形成層２５３と透明基板２５２の間、透明基板２５２の外側のそれぞれに適宜他の層を設けてもよい。
同様に、上記した第４実施形態の化粧部材２７１は、第２模様形成層２７４、第１模様形成層２７３、及び透明基板２７２が直接積層した構造であったが、本発明はこれに限定されるものではない。有機ＥＬパネル５の発光面８と第２模様形成層２７４の間、第２模様形成層２７４と第１模様形成層２７３の間、第１模様形成層２７３と透明基板２７２の間、透明基板２７２の外側のそれぞれに適宜他の層を設けてもよい。
【０１２５】
上記した実施形態では、各有機ＥＬパネル５ａ〜５ｄが接続用ケーブル部材７ａ〜７ｃによって電気的に直列接続されていたが、本発明はこれに限定されるものではない。各有機ＥＬパネル５ａ〜５ｄは接続用ケーブル部材７ａ〜７ｃによって電気的に並列接続されていてもよい。こうすることで、一の有機ＥＬパネル５を交換する際等において、一の有機ＥＬパネル５を外した状態でも他の有機ＥＬパネル５を点灯できる。
【０１２６】
上記した実施形態では、正面視したときに１枚の化粧部材６が４枚の有機ＥＬパネル５に跨るように構成されていたが、本発明はこれに限定されるものではない。１枚の有機ＥＬパネル５につき１枚の化粧部材６で発光面８を覆ってもよいし、図２５（ａ）のように、化粧部材６の形状に合わせた発光面８を持つ有機ＥＬパネル５を使用し、この有機ＥＬパネル５の発光面８を化粧部材６で覆ってもよい。また、１枚の化粧部材６に対して２枚又は３枚の有機ＥＬパネル５に跨るように構成されていてもよいし、５枚以上の有機ＥＬパネル５に跨るように構成されていてもよい。
【０１２７】
上記した実施形態では、一枚の化粧部材６に対して複数の有機ＥＬパネル５が一列に並んで配されていたが、本発明はこれに限定されるものではない。一枚の化粧部材６に対して複数の有機ＥＬパネル５が面状に広がりをもって並んで配されていてもよい。例えば、図２５（ｂ）のように、化粧部材６に対して、複数の有機ＥＬパネル５を平面充填となるように縦横碁盤状に分布させて取り付けられていてもよい。また、有機ＥＬパネル５は、平面充填となるように千鳥状に分布させて取り付けられていてもよい。
【０１２８】
上記した実施形態では、取付部材３の取付側係合部１５１ａ〜１５１ｄと有機ＥＬパネル５のパネル側係合部９５ａ〜９５ｄが互いに係合及び係合解除することで、取付部材３に対して有機ＥＬパネル５が着脱可能となっていたが、本発明はこれに限定されるものではない。取付部材３と有機ＥＬパネル５は磁石等の他の着脱手段によって着脱可能となっていてもよい。
【０１２９】
上記した第１実施形態では、第１模様形成層１２１の第１模様１２３が木目調であり、第２模様形成層１２２の第２模様１２５が花柄であったが、本発明はこれに限定されるものではない。第１模様１２３と第２模様１２５の模様が異なっていれば模様や色は限定されない。例えば、第１模様１２３は、大理石の模様や色であってよい。
【０１３０】
上記した実施形態では、面発光パネルとして有機ＥＬパネル５を採用した場合について説明したが、本発明はこれに限定されるものではない。面発光パネルとして他の面状に発光する面状光源であってもよい。例えば、面状にＬＥＤを敷き詰めたＬＥＤパネルであってもよい。
【０１３１】
上記した第１実施形態では、内装用建材１を平滑な壁面３００に対して取り付けた場合について説明したが、本発明は、これに限定されるものでない。壁面３００に空気が循環する流路に連通する開口を設け、壁面３００に有機ＥＬモジュール２の背面側に空気が流通する構造としてもよい。こうすることで有機ＥＬモジュール２の背面が空気に晒されて熱交換され、有機ＥＬモジュール２の発熱を抑えることができる。
【０１３２】
上記した実施形態では、取付部材３と有機ＥＬパネル５が直接係合し、取付部材３に対して有機ＥＬパネル５が直接的に着脱可能となっていたが、本発明はこれに限定されるものではない。有機ＥＬパネル５が取付部材３に他の部材を介して間接的に着脱可能となっていてもよい。
【０１３３】
上記した第２実施形態の内装用建材２００は、化粧部材６と有機ＥＬパネル５が分割可能であったが、本発明はこれに限定されない。第１実施形態の内装用建材１と同様、化粧部材６と有機ＥＬパネル５が不可分一体であってもよい。
【０１３４】
上記した実施形態は、本発明の技術的範囲に含まれる限り、各実施形態間で各構成部材を自由に置換や付加できる。
【符号の説明】
【０１３５】
１，２００，２５０，２７０  内装用建材
３，３ａ〜３ｄ  取付部材
５，５ａ〜５ｄ  有機ＥＬパネル（面発光パネル）
９５ａ〜９５ｄ  パネル側係合部
１２３，２５５  第１模様
１２５，２５６  第２模様
１２１，２７３  第１模様形成層
１２２，２７４  第２模様形成層
１５１ａ〜１５１ｄ  取付側係合部
２５２，２７２  透明基板（透明樹脂）
３００  壁面
３１０  一時締結要素
【図１】
2018012077.tif 000003
【図２】
2018012077.tif 000004
【図３】
2018012077.tif 000005
【図４】
2018012077.tif 000006
【図５】
2018012077.tif 000007
【図６】
2018012077.tif 000008
【図７】
2018012077.tif 000009
【図８】
2018012077.tif 000010
【図９】
2018012077.tif 000011
【図１０】
2018012077.tif 000012
【図１１】
2018012077.tif 000013
【図１２】
2018012077.tif 000014
【図１３】
2018012077.tif 000015
【図１４】
2018012077.tif 000016
【図１５】
2018012077.tif 000017
【図１６】
2018012077.tif 000018
【図１７】
2018012077.tif 000019
【図１８】
2018012077.tif 000020
【図１９】
2018012077.tif 000021
【図２０】
2018012077.tif 000022
【図２１】
2018012077.tif 000023
【図２２】
2018012077.tif 000024
【図２３】
2018012077.tif 000025
【図２４】
2018012077.tif 000026
【図２５】
2018012077.tif 000027
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
取付部材と化粧部材の間に複数の面発光パネルが介在した内装用建材であって、
前記取付部材は、固定構造物の壁面に固定されるものであり、
一の面発光パネルは、前記取付部材に対して直接的に又は間接的に着脱可能であって、前記取付部材側から給電可能であり、
前記化粧部材は、前記複数の面発光パネルの発光面に跨って覆うものであって、消灯時に第１模様を呈するものであり、
点灯時に、前記面発光パネルの発光面からの照射光が前記化粧部材を透過することを特徴とする内装用建材。
【請求項２】
点灯時に、前記面発光パネルの発光面からの照射光の一部が前記化粧部材を透過して、前記化粧部材が前記第１模様とは異なる第２模様を発現することを特徴とする請求項１に記載の内装用建材。
【請求項３】
前記面発光パネルは、有機ＥＬパネルであり、
前記化粧部材は、複数の面発光パネルの発光面と対面しており、
前記化粧部材の前記面発光パネル側の面と、前記面発光パネルの発光面との間の距離が０ｍｍ以上１０ｍｍ以下であることを特徴とする請求項１又は２に記載の内装用建材。
【請求項４】
各面発光パネル間が電気的に接続されていることを特徴とする請求項１乃至３のいずれかに記載の内装用建材。
【請求項５】
前記化粧部材は、前記第１模様を形成する第１模様形成層と、前記第２模様を形成する第２模様形成層を備えた板材であり、
前記第１模様形成層は、前記第２模様形成層と透明樹脂を挟んで前記化粧部材の厚み方向に対向しており、
前記第２模様形成層は、前記第１模様形成層に対して前記面発光パネル側に位置していることを特徴とする請求項１乃至４のいずれかに記載の内装用建材。
【請求項６】
前記取付部材は、取付側係合部を有し、
前記面発光パネルは、前記取付側係合部と係合可能なパネル側係合部を備えており、
前記取付部材に前記面発光パネルを取り付ける際には、前記面発光パネルを縦方向にスライド移動させて前記取付側係合部に前記パネル側係合部を係合させることを特徴とする請求項１乃至５のいずれかに記載の内装用建材。
【請求項７】
前記面発光パネルは、横方向に一列に並設されており、
隣接する面発光パネルの並設方向の端面間の距離は、０ｍｍ以上１０ｍｍ以下であることを特徴とする請求項６に記載の内装用建材。
【請求項８】
前記面発光パネルは、パネル本体と、固定部材を有し、
前記固定部材は、本体部と、隆起部を有し、
前記隆起部は、前記面発光パネルの背面側に配され、前記本体部に対して背面側に向かって隆起するものであり、
前記隆起部は、隆起方向に対して直交する方向に突出したパネル側係合部を複数備え、
前記複数のパネル側係合部のうち２つのパネル側係合部は、互いに離反する方向に張り出しており、
前記取付部材は、取付側本体部と、複数の取付側係合部を有し、
複数の取付側係合部のうち２つの取付側係合部は、前記取付側本体部から互いに近接する方向に延びており、
前記面発光パネルを前記取付部材に取り付ける際には、前記面発光パネルを縦方向にスライド移動させて、前記２つの隆起側係合部と前記２つの取付側係合部を係合させることを特徴とする請求項１乃至７のいずれかに記載の内装用建材。
【請求項９】
前記化粧部材に対して複数の面発光パネルが取り付けられており、
一の面発光パネルは、他の面発光パネルを前記取付部材に対して着脱することによって、前記取付部材に対して間接的に着脱可能であることを特徴とする請求項１乃至８のいずれかに記載の内装用建材。
【請求項１０】
前記化粧部材は、一時締結要素を挿通可能な挿通孔を有し、
前記化粧部材は、前記一時締結要素を挿通孔に挿通することで、前記取付部材との間に面発光パネルを介在させて固定可能であることを特徴とする請求項１乃至８のいずれかに記載の内装用建材。
【請求項１１】
取付部材と化粧部材の間に面発光パネルが介在した内装用建材であって、
前記取付部材は、固定構造物の壁面に固定されるものであり、
前記面発光パネルは、前記取付部材に対して直接的に又は間接的に着脱可能であって、前記取付部材側から給電可能であり、
前記化粧部材は、前記面発光パネルの発光面を覆うものであって、消灯時に第１模様を呈するものであり、
点灯時に、前記面発光パネルの発光面からの照射光の一部が前記化粧部材を透過して、前記化粧部材が前記第１模様とは異なる第２模様を発現するものであり、
前記第１模様は、前記面発光パネルの点灯に伴う発熱によって消失することを特徴とする内装用建材。
【請求項１２】
請求項１乃至８、１１のいずれかに記載の内装用建材を前記固定構造物の壁面に取り付ける内装用建材の取付構造であって、
前記化粧部材は、一時締結要素によって前記固定構造物の壁面に対して固定されていることを特徴とする内装用建材の取付構造。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
取付部材と化粧部材の間に複数の面発光パネルが介在した内装用建材であって、
前記取付部材は、固定構造物の壁面に固定されるものであり、
一の面発光パネルは、前記取付部材に対して直接的に又は間接的に着脱可能であって、前記取付部材側から給電可能であり、
前記化粧部材は、前記複数の面発光パネルの発光面に跨って覆うものであって、消灯時に第１模様を呈するものであり、
点灯時に、前記面発光パネルの発光面からの照射光が前記化粧部材を透過するものであり、
前記面発光パネルは、パネル本体と、固定部材を有し、
前記固定部材は、本体部と、隆起部を有し、
前記隆起部は、前記面発光パネルの背面側に配され、前記本体部に対して背面側に向かって隆起するものであり、
前記隆起部は、隆起方向に対して直交する方向に突出したパネル側係合部を複数備え、
前記複数のパネル側係合部のうち２つのパネル側係合部は、互いに離反する方向に張り出しており、
前記取付部材は、取付側本体部と、複数の取付側係合部を有し、
複数の取付側係合部のうち２つのパネル側係合部は、前記取付側本体部から互いに近接する方向に延びており、
前記面発光パネルを前記取付部材に取り付ける際には、前記面発光パネルを縦方向にスライド移動させて、前記２つの隆起側係合部と前記２つの取付側係合部を係合させることを特徴とする内装用建材。
【請求項２】
点灯時に、前記面発光パネルの発光面からの照射光の一部が前記化粧部材を透過して、前記化粧部材が前記第１模様とは異なる第２模様を発現することを特徴とする請求項１に記載の内装用建材。
【請求項３】
前記面発光パネルは、有機ＥＬパネルであり、
前記化粧部材は、複数の面発光パネルの発光面と対面しており、
前記化粧部材の前記面発光パネル側の面と、前記面発光パネルの発光面との間の距離が０ｍｍ以上１０ｍｍ以下であることを特徴とする請求項１又は２に記載の内装用建材。
【請求項４】
各面発光パネル間が電気的に接続されていることを特徴とする請求項１乃至３のいずれかに記載の内装用建材。
【請求項５】
前記化粧部材は、前記第１模様を形成する第１模様形成層と、前記第１模様とは異なる第２模様を形成する第２模様形成層を備えた板材であり、
前記第１模様形成層は、前記第２模様形成層と透明樹脂を挟んで前記化粧部材の厚み方向に対向しており、
前記第２模様形成層は、前記第１模様形成層に対して前記面発光パネル側に位置していることを特徴とする請求項１乃至４のいずれかに記載の内装用建材。
【請求項６】
前記取付部材は、取付側係合部を有し、
前記面発光パネルは、前記取付側係合部と係合可能なパネル側係合部を備えており、
前記取付部材に前記面発光パネルを取り付ける際には、前記面発光パネルを縦方向にスライド移動させて前記取付側係合部に前記パネル側係合部を係合させることを特徴とする請求項１乃至５のいずれかに記載の内装用建材。
【請求項７】
前記面発光パネルは、横方向に一列に並設されており、
隣接する面発光パネルの並設方向の端面間の距離は、０ｍｍ以上１０ｍｍ以下であることを特徴とする請求項６に記載の内装用建材。
【請求項８】
前記化粧部材に対して複数の面発光パネルが取り付けられており、
一の面発光パネルは、他の面発光パネルを前記取付部材に対して着脱することによって、前記取付部材に対して間接的に着脱可能であることを特徴とする請求項１乃至７のいずれかに記載の内装用建材。
【請求項９】
前記化粧部材は、一時締結要素を挿通可能な挿通孔を有し、
前記化粧部材は、前記一時締結要素を挿通孔に挿通することで、前記取付部材との間に面発光パネルを介在させて固定可能であることを特徴とする請求項１乃至７のいずれかに記載の内装用建材。
【請求項１０】
取付部材と化粧部材の間に面発光パネルが介在した内装用建材であって、
前記取付部材は、固定構造物の壁面に固定されるものであり、
前記面発光パネルは、前記取付部材に対して直接的に又は間接的に着脱可能であって、前記取付部材側から給電可能であり、
前記化粧部材は、前記面発光パネルの発光面を覆うものであって、消灯時に第１模様を呈するものであり、
点灯時に、前記面発光パネルの発光面からの照射光の一部が前記化粧部材を透過して、前記化粧部材が前記第１模様とは異なる第２模様を発現するものであり、
前記第１模様は、前記面発光パネルの点灯に伴う発熱によって消失することを特徴とする内装用建材。
【請求項１１】
取付部材と化粧部材の間に複数の面発光パネルが介在した内装用建材であって、
前記取付部材は、固定構造物の壁面に固定されるものであり、
一の面発光パネルは、前記取付部材に対して直接的に又は間接的に着脱可能であって、前記取付部材側から給電可能であり、
前記化粧部材は、前記複数の面発光パネルの発光面に跨って覆うものであって、消灯時に第１模様を呈するものであり、
点灯時に、前記面発光パネルの発光面からの照射光が前記化粧部材を透過する内装用建材を前記固定構造物の壁面に取り付ける内装用建材の取付構造であって、
前記化粧部材は、一時締結要素によって前記固定構造物の壁面に対して固定されていることを特徴とする内装用建材の取付構造。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
取付部材と化粧部材の間に複数の面発光パネルが介在した内装用建材であって、
前記取付部材は、固定構造物の壁面に固定されるものであり、
一の面発光パネルは、前記取付部材に対して直接的に又は間接的に着脱可能であって、前記取付部材側から給電可能であり、
前記化粧部材は、前記複数の面発光パネルの発光面に跨って覆うものであって、消灯時に第１模様を呈するものであり、
点灯時に、前記面発光パネルの発光面からの照射光が前記化粧部材を透過するものであり、
前記面発光パネルは、パネル本体と、固定部材を有し、
前記固定部材は、本体部と、隆起部を有し、
前記隆起部は、前記面発光パネルの背面側に配され、前記本体部に対して背面側に向かって隆起するものであり、
前記隆起部は、隆起方向に対して直交する方向に突出したパネル側係合部を複数備え、
前記複数のパネル側係合部のうち２つのパネル側係合部は、互いに離反する方向に張り出しており、
前記取付部材は、取付側本体部と、複数の取付側係合部を有し、
複数の取付側係合部のうち２つの取付側係合部は、前記取付側本体部から互いに近接する方向に延びており、
前記面発光パネルを前記取付部材に取り付ける際には、前記面発光パネルを縦方向にスライド移動させて、前記２つのパネル側係合部と前記２つの取付側係合部を係合させることを特徴とする内装用建材。
【請求項２】
点灯時に、前記面発光パネルの発光面からの照射光の一部が前記化粧部材を透過して、前記化粧部材が前記第１模様とは異なる第２模様を発現することを特徴とする請求項１に記載の内装用建材。
【請求項３】
前記面発光パネルは、有機ＥＬパネルであり、
前記化粧部材は、複数の面発光パネルの発光面と対面しており、
前記化粧部材の前記面発光パネル側の面と、前記面発光パネルの発光面との間の距離が０ｍｍ以上１０ｍｍ以下であることを特徴とする請求項１又は２に記載の内装用建材。
【請求項４】
各面発光パネル間が電気的に接続されていることを特徴とする請求項１乃至３のいずれかに記載の内装用建材。
【請求項５】
前記化粧部材は、前記第１模様を形成する第１模様形成層と、前記第１模様とは異なる第２模様を形成する第２模様形成層を備えた板材であり、
前記第１模様形成層は、前記第２模様形成層と透明樹脂を挟んで前記化粧部材の厚み方向に対向しており、
前記第２模様形成層は、前記第１模様形成層に対して前記面発光パネル側に位置していることを特徴とする請求項１乃至４のいずれかに記載の内装用建材。
【請求項６】
前記取付部材は、取付側係合部を有し、
前記面発光パネルは、前記取付側係合部と係合可能なパネル側係合部を備えており、
前記取付部材に前記面発光パネルを取り付ける際には、前記面発光パネルを縦方向にスライド移動させて前記取付側係合部に前記パネル側係合部を係合させることを特徴とする請求項１乃至５のいずれかに記載の内装用建材。
【請求項７】
前記面発光パネルは、横方向に一列に並設されており、
隣接する面発光パネルの並設方向の端面間の距離は、０ｍｍ以上１０ｍｍ以下であることを特徴とする請求項６に記載の内装用建材。
【請求項８】
前記化粧部材に対して複数の面発光パネルが取り付けられており、
一の面発光パネルは、他の面発光パネルを前記取付部材に対して着脱することによって、前記取付部材に対して間接的に着脱可能であることを特徴とする請求項１乃至７のいずれかに記載の内装用建材。
【請求項９】
前記化粧部材は、一時締結要素を挿通可能な挿通孔を有し、
前記化粧部材は、前記一時締結要素を挿通孔に挿通することで、前記取付部材との間に面発光パネルを介在させて固定可能であることを特徴とする請求項１乃至７のいずれかに記載の内装用建材。
【請求項１０】
取付部材と化粧部材の間に面発光パネルが介在した内装用建材であって、
前記取付部材は、固定構造物の壁面に固定されるものであり、
前記面発光パネルは、前記取付部材に対して直接的に又は間接的に着脱可能であって、前記取付部材側から給電可能であり、
前記化粧部材は、前記面発光パネルの発光面を覆うものであって、消灯時に第１模様を呈するものであり、
点灯時に、前記面発光パネルの発光面からの照射光の一部が前記化粧部材を透過して、前記化粧部材が前記第１模様とは異なる第２模様を発現するものであり、
前記第１模様は、前記面発光パネルの点灯に伴う発熱によって消失することを特徴とする内装用建材。
【国際調査報告】
2018012077.tif 000028
2018012077.tif 000029
2018012077.tif 000030
2018012077.tif 000031